(57)【特許請求の範囲】
【請求項１】
移動局が、エンハンスト個別物理データチャネルを介して送信する上りユーザデータの伝送速度を制御する伝送速度制御方法であって、
無線基地局が、前記移動局から送信された個別物理制御チャネルの受信電力を測定する工程と、
前記無線基地局が、前記移動局から送信されたエンハンスト個別物理制御チャネルから、前記上りユーザデータの送信データブロックサイズを抽出する工程と、
前記無線基地局が、前記上りユーザデータの送信データブロックサイズと前記エンハンスト個別物理データチャネルと前記個別物理制御チャネルとの送信電力比とを対応付ける対応表を参照して、抽出した前記送信データブロックサイズに関連付けられている前記エンハンスト個別物理データチャネルと前記個別物理制御チャネルとの送信電力比を取得する工程と、
前記無線基地局が、測定した前記個別物理制御チャネルの受信電力と、取得した前記送信電力比とに基づいて、前記エンハンスト個別物理データチャネルの受信電力を算出する工程とを有することを特徴とする伝送速度制御方法。
【請求項２】
前記無線基地局が、算出した前記エンハンスト個別物理データチャネルの受信電力に基づいて、前記上りユーザデータの相対伝送速度を算出する工程と、
前記無線基地局が、前記移動局に対して、相対速度制御チャネルを介して前記上りユーザデータの相対伝送速度を通知する工程と、
前記移動局が、通知された前記上りユーザデータの相対伝送速度に基づいて、前記上りユーザデータの伝送速度を制御する工程とを有することを特徴とする請求項１に記載の伝送速度制御方法。
【請求項３】
前記上りユーザデータの相対伝送速度を算出する工程において、
前記無線基地局は、該無線基地局によって管理されているセルをサービングセルとするサービング移動局から送信された前記エンハンスト個別物理データチャネルの受信電力の積算値と該無線基地局によって管理されているセルをサービングセルとしない非サービング移動局から送信された前記エンハンスト個別物理データチャネルの受信電力の積算値との比が目標値よりも小さい場合に、前記上りユーザデータの伝送速度の減少を指示する前記上りユーザデータの相対伝送速度を算出することを特徴とする請求項２に記載の伝送速度制御方法。
【請求項４】
前記無線基地局は、前記送信データブロックサイズと、前記エンハンスト個別物理データチャネルと前記個別物理制御チャネルとの送信電力比とを関連付ける対応表を複数記憶しており、
無線回線制御局は、前記移動局が前記上りユーザデータを送信するためのデータコネクションを設定する際に、前記対応表の識別情報を前記無線基地局に通知し、
前記送信電力比を取得する工程において、前記無線基地局は、通知された前記識別情報によって識別される対応表を参照して、抽出した前記送信データブロックサイズに関連付けられている前記エンハンスト個別物理データチャネルと前記個別物理制御チャネルとの送信電力比を取得することを特徴とする請求項１に記載の伝送速度制御方法。
【請求項５】
移動局がエンハンスト個別物理データチャネルを介して送信する上りユーザデータの伝送速度を制御する移動通信システムで用いられる無線基地局であって、
前記移動局から送信された個別物理制御チャネルの受信電力を測定する測定部と、
前記移動局から送信されたエンハンスト個別物理制御チャネルから、前記上りユーザデータの送信データブロックサイズを抽出する送信データブロックサイズ抽出部と、
前記上りユーザデータの送信データブロックサイズと前記エンハンスト個別物理データチャネルと前記個別物理制御チャネルとの送信電力比とを対応付ける対応表を参照して、抽出した前記送信データブロックサイズに関連付けられている前記エンハンスト個別物理データチャネルと前記個別物理制御チャネルとの送信電力比を取得する送信電力比取得部と、
測定した前記個別物理制御チャネルの受信電力と、取得した前記送信電力比とに基づいて、前記エンハンスト個別物理データチャネルの受信電力を算出するエンハンスト個別物理データチャネル受信電力算出部とを具備することを特徴とする無線基地局。
【請求項６】
算出した前記エンハンスト個別物理データチャネルの受信電力に基づいて、前記上りユーザデータの相対伝送速度を算出する上りユーザデータ相対伝送速度算出部と、
前記移動局に対して、相対速度制御チャネルを介して前記上りユーザデータの相対伝送速度を通知する相対速度制御チャネル送信部とを具備することを特徴とする請求項５に記載の無線基地局。
【請求項７】
前記上りユーザデータ相対伝送速度算出部は、該無線基地局によって管理されているセルをサービングセルとするサービング移動局から送信された前記エンハンスト個別物理データチャネルの受信電力の積算値と該無線基地局によって管理されているセルをサービングセルとしない非サービング移動局から送信された前記エンハンスト個別物理データチャネルの受信電力の積算値との比が目標値よりも小さい場合に、前記上りユーザデータの伝送速度の減少を指示する前記上りユーザデータの相対伝送速度を算出するように構成されていることを特徴とする請求項６に記載の無線基地局。
【請求項８】
移動局がエンハンスト個別物理データチャネルを介して送信する上りユーザデータの伝送速度を制御する移動通信システムで用いられる無線回線制御局であって、
前記移動局が前記上りユーザデータを送信するためのデータコネクションを設定する際に、前記上りユーザデータの送信データブロックサイズと、前記エンハンスト個別物理データチャネルと個別物理制御チャネルとの送信電力比とを関連付ける対応表の識別情報を、無線基地局に通知するように構成されており、
前記識別情報によって特定される対応表は、前記無線基地局において、前記エンハンスト個別物理データチャネルの受信電力を算出するために用いられることを特徴とする無線回線制御局。
【発明の詳細な説明】
【技術分野】
【０００１】
本発明は、移動局がエンハンスト個別物理データチャネルを介して送信する上りユーザデータの伝送速度を制御する伝送速度制御方法、及び、かかる伝送速度制御方法に用いられる無線基地局及び無線回線制御局に関する。
【背景技術】
【０００２】
従来の移動通信システムでは、無線回線制御局ＲＮＣが、移動局ＵＥと無線基地局ＮｏｄｅＢとの間の個別物理チャネル（ＤＰＣＨ：Ｄｅｄｉｃａｔｅｄ  Ｐｈｙｓｉｃａｌ  Ｃｈａｎｎｅｌ）を設定する際に、当該無線基地局ＮｏｄｅＢの受信用ハードウエアリソース（以下、ハードウエアリソース）や、上り無線リソース（上り干渉量）や、当該移動局ＵＥの送信電力や、当該移動局ＵＥの送信処理性能や、上位のアプリケーションが必要とする伝送速度等を鑑みて、上りユーザデータの伝送速度を決定し、当該移動局ＵＥ及び当該無線基地局ＮｏｄｅＢのそれぞれに対して、レイヤ３（Ｒａｄｉｏ  Ｒｅｓｏｕｒｃｅ  Ｃｏｎｔｒｏｌ  ｌａｙｅｒ）のメッセージとして通知するように構成されている。
【０００３】
ここで、無線回線制御局ＲＮＣは、無線基地局ＮｏｄｅＢの上位に存在し、無線基地局ＮｏｄｅＢ及び移動局ＵＥを制御する装置である。
【０００４】
一方、データ通信では、音声通話やＴＶ通話の場合と比べて、トラフィックがバースト的に発生することが多く、本来は、高速に、上りユーザデータの伝送速度を変更できることが望ましい。
【０００５】
しかしながら、図１９に示すように、従来の移動通信システムでは、無線回線制御局ＲＮＣが、通常、多くの無線基地局ＮｏｄｅＢを統括して制御しており、無線回線制御局ＲＮＣにおける処理負荷及び処理遅延が増加することが想定されることから、高速な（例えば、１〜１００ｍｓ程度の）上りユーザデータの伝送速度の変更制御を行うことは困難であるという問題点があった。
【０００６】
或いは、従来の移動通信システムにおいて、高速な上りユーザデータの伝送速度の変更制御を行うことができたとしても、装置の実装コストやネットワークの運用コストが大幅に高くなるという問題点があった。
【０００７】
そのため、従来の移動通信システムでは、数１００ｍｓから数ｓ秒オーダーで、上りユーザデータの伝送速度の変更制御を行うのが通例である。
【０００８】
したがって、従来の移動通信システムでは、図２０（ａ）に示すように、バースト的なデータ送信を行う場合、図２０（ｂ）に示すように、低速、高遅延及び低伝送効率を許容してデータを送信するか、又は、図２０（ｃ）に示すように、高速通信用の無線リソースを確保して、空き時間の無線帯域リソースや無線基地局ＮｏｄｅＢにおけるハードウエアリソースが無駄になるのを許容してデータを送信することとなる。
【０００９】
ただし、図２０において、縦軸の上り無線リソースには、上述の無線帯域リソース及びハードウエアリソースの両方が当てはめられるものとする。
【００１０】
そこで、第３世代移動通信システムの国際標準化団体である「３ＧＰＰ」及び「３ＧＰＰ２」において、上り無線リソースを有効利用するために、無線基地局ＮｏｄｅＢと移動局ＵＥとの間のレイヤ１及びＭＡＣサブレイヤ（レイヤ２）における高速な上り無線リソース制御方法が検討されてきた。以下、かかる検討又は検討された機能を総称して「上り回線エンハンスメント（ＥＵＬ：Ｅｎｈａｎｃｅｄ  Ｕｐｌｉｎｋ）」と呼ぶこととする。
【００１１】
上り回線エンハンスメントが適用されている移動通信システムについて、図２１を参照して説明する。図２１の例では、無線基地局ＮｏｄｅＢによって管理されているセル＃１は、移動局ＵＥ＃１によって送信される上りユーザデータの伝送速度を主として制御する移動局ＵＥ＃１のサービングセルである。また、無線基地局ＮｏｄｅＢによって管理されているセル＃１は、移動局ＵＥ＃２のサービングセルではないが、移動局ＵＥ＃２との間で無線リンクが設定されている移動局ＵＥ＃２の非サービングセルである。
【００１２】
かかる移動通信システムでは、セル＃１は、移動局ＵＥ１に対して、上りユーザデータの絶対伝送速度を送信するためのＥ-ＡＧＣＨ（絶対伝送速度制御チャネル：Ｅｎｈａｎｃｅｄ  Ａｂｓｏｌｕｔｅ  Ｇｒａｎｔ  Ｃｈａｎｎｅｌ）を送信するように構成されており、移動局ＵＥ＃２に対して、上りユーザデータの相対伝送速度（ＵＰコマンド又はＤＯＷＮコマンド）を送信するためのＥ-ＲＧＣＨ（相対伝送速度制御チャネル：Ｅｎｈａｎｃｅｄ  Ｒｅｌａｔｉｖｅ  Ｇｒａｎｔ  Ｃｈａｎｎｅｌ）を送信するように構成されている。
【００１３】
また、かかる移動通信システムでは、移動局ＵＥ＃１及びＵＥ＃２が、Ｅ-ＤＰＣＣＨ（Ｅｎｈａｎｃｅｄ  Ｄｅｄｉｃａｔｅｄ  Ｐｈｙｓｉｃａｌ  Ｃｏｎｔｒｏｌ  Ｃｈａｎｎｅｌ）及びＥ-ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）を送信するように構成されている。
【００１４】
ここで、無線基地局ＮｏｄｅＢによってセル＃１は、非サービング移動局（図２１の例では、移動局ＵＥ＃２）からの干渉を抑えるために、サービング移動局（図２１の例では、移動局ＵＥ＃１）からのＥ-ＤＰＤＣＨの受信電力と非サービング移動局からのＥ-ＤＰＤＣＨの受信電力（干渉電力）との比を、所定の閾値以下に抑えるように、非サービング移動局に対して、Ｅ-ＲＧＣＨによって「ＤＯＷＮ」コマンドを送信するように構成されている。
【００１５】
なお、セル＃１のサービング移動局とは、セル＃１をサービングセルとする移動局のことを示し、セル＃１の非サービング移動局とは、セル＃１をサービングセルとしない移動局のことを示す。
【００１６】
すなわち、かかる移動通信システムでは、無線基地局ＮｏｄｅＢに実装されているＭＡＣ機能が、Ｅ-ＡＧＣＨ及びＥ-ＲＧＣＨを用いて、移動局ＵＥにおける上りユーザデータの伝送速度を制御するように構成されている（非特許文献１参照）。
【非特許文献１】３ＧＰＰ  Ｒ２-０５-０９０７
【発明の開示】
【発明が解決しようとする課題】
【００１７】
しかしながら、かかる移動通信システムでは、無線基地局ＮｏｄｅＢによって管理されているセル＃１は、Ｅ-ＤＰＤＣＨを介して送信される上りユーザデータのパターンが不明な状態で、Ｅ-ＤＰＤＣＨの受信電力を測定するため、大きな測定誤差が発生する可能性がある。
【００１８】
そのため、かかる移動通信システムでは、かかる測定誤差によって、各セルにおいて、サービング移動局からのＥ-ＤＰＤＣＨの受信電力と非サービング移動局からのＥ-ＤＰＤＣＨの受信電力との比を調整することが困難となり、伝送効率が低下するという問題点があった。
【００１９】
そこで、本発明は、以上の点に鑑みてなされたもので、上りユーザデータのパターンが不明な状態であっても、簡易な方法で高精度に、Ｅ-ＤＰＤＣＨの受信電力を測定することができる伝送速度制御方法、無線基地局及び無線回線制御局を提供することを目的とする。
【課題を解決するための手段】
【００２０】
本発明の第１の特徴は、移動局が、エンハンスト個別物理データチャネルを介して送信する上りユーザデータの伝送速度を制御する伝送速度制御方法であって、無線基地局が、前記移動局から送信された個別物理制御チャネルの受信電力を測定する工程と、前記無線基地局が、前記移動局から送信されたエンハンスト個別物理制御チャネルから、前記上りユーザデータの送信データブロックサイズを抽出する工程と、前記無線基地局が、抽出した前記送信データブロックサイズに関連付けられている前記エンハンスト個別物理データチャネルと前記個別物理制御チャネルとの送信電力比を取得する工程と、前記無線基地局が、測定した前記個別物理制御チャネルの受信電力と、取得した前記送信電力比とに基づいて、前記エンハンスト個別物理データチャネルの受信電力を算出する工程と、前記無線基地局が、算出した前記エンハンスト個別物理データチャネルの受信電力に基づいて、前記上りユーザデータの相対伝送速度を算出する工程と、前記無線基地局が、前記移動局に対して、相対速度制御チャネルを介して前記上りユーザデータの相対伝送速度を通知する工程と、前記移動局が、通知された前記上りユーザデータの相対伝送速度に基づいて、前記上りユーザデータの伝送速度を制御する工程とを有することを要旨とする。
【００２１】
本発明の第１の特徴において、前記上りユーザデータの相対伝送速度を算出する工程で、前記無線基地局が、該無線基地局によって管理されているセルをサービングセルとするサービング移動局から送信された前記エンハンスト個別物理データチャネルの受信電力の積算値と、該無線基地局によって管理されているセルをサービングセルとしない非サービング移動局から送信された前記エンハンスト個別物理データチャネルの受信電力の積算値との比較結果に基づいて、前記上りユーザデータの相対伝送速度を算出してもよい。
【００２２】
本発明の第１の特徴において、前記無線基地局が、前記送信データブロックサイズと、前記エンハンスト個別物理データチャネルと前記個別物理制御チャネルとの送信電力比とを関連付ける対応表を複数記憶しており、無線回線制御局が、前記移動局が前記上りユーザデータを送信するためのデータコネクションを設定する際に、前記対応表の識別情報を前記無線基地局に通知し、前記送信電力比を取得する工程で、前記無線基地局が、通知された前記識別情報によって識別される対応表を参照して、抽出した前記送信データブロックサイズに関連付けられている前記エンハンスト個別物理データチャネルと前記個別物理制御チャネルとの送信電力比を取得してもよい。
【００２３】
本発明の第２の特徴は、移動局がエンハンスト個別物理データチャネルを介して送信する上りユーザデータの伝送速度を制御する移動通信システムで用いられる無線基地局であって、前記移動局から送信された個別物理制御チャネルの受信電力を測定する測定部と、前記移動局から送信されたエンハンスト個別物理制御チャネルから、前記上りユーザデータの送信データブロックサイズを抽出する送信データブロックサイズ抽出部と、抽出した前記送信データブロックサイズに関連付けられている前記エンハンスト個別物理データチャネルと前記個別物理制御チャネルとの送信電力比を取得する送信電力比取得部と、測定した前記個別物理制御チャネルの受信電力と、取得した前記送信電力比とに基づいて、前記エンハンスト個別物理データチャネルの受信電力を算出するエンハンスト個別物理データチャネル受信電力算出部と、算出した前記エンハンスト個別物理データチャネルの受信電力に基づいて、前記上りユーザデータの相対伝送速度を算出する上りユーザデータ相対伝送速度算出部と、前記移動局に対して、相対速度制御チャネルを介して前記上りユーザデータの相対伝送速度を通知する相対速度制御チャネル送信部とを具備することを要旨とする。
【００２４】
本発明の第２の特徴において、前記上りユーザデータ相対伝送速度算出部が、該無線基地局によって管理されているセルをサービングセルとするサービング移動局から送信された前記エンハンスト個別物理データチャネルの受信電力の積算値と、該無線基地局によって管理されているセルをサービングセルとしない非サービング移動局から送信された前記エンハンスト個別物理データチャネルの受信電力の積算値との比較結果に基づいて、前記上りユーザデータの相対伝送速度を算出するように構成されていてもよい。
【００２５】
本発明の第３の特徴は、移動局がエンハンスト個別物理データチャネルを介して送信する上りユーザデータの伝送速度を制御する移動通信システムで用いられる無線回線制御局であって、前記移動局が前記上りユーザデータを送信するためのデータコネクションを設定する際に、前記上りユーザデータの送信データブロックサイズと、前記エンハンスト個別物理データチャネルと個別物理制御チャネルとの送信電力比とを関連付ける対応表の識別情報を、無線基地局に通知するように構成されていることを要旨とする。
【発明の効果】
【００２６】
以上説明したように、本発明によれば、上りユーザデータのパターンが不明な状態であっても、簡易な方法で高精度に、Ｅ-ＤＰＤＣＨの受信電力を測定することができる伝送速度制御方法、無線基地局及び無線回線制御局を提供することができる。
【発明を実施するための最良の形態】
【００２７】
（本発明の第１の実施形態に係る移動通信システムの構成）
図１乃至図１２を参照して、本発明の第１の実施形態に係る移動通信システムの構成について説明する。本実施形態に係る移動通信システムは、通信容量や通信品質等の通信性能を向上させることを目的として設計されている。また、本実施形態に係る移動通信システムは、第３世代移動通信システムである「Ｗ-ＣＤＭＡ」や「ＣＤＭＡ２０００」に適応可能である。
【００２８】
図１に、本実施形態に係る移動局ＵＥの概要構成例を示す。図２に示すように、移動局ＵＥは、バスインターフェース部１１と、呼処理制御部１２と、ベースバンド信号処理部１３と、送受信部１４と、送受信アンテナ１５とを具備する。また、移動局ＵＥは、アンプ部（図示せず）を具備するように構成されていてもよい。
【００２９】
ただし、これらの構成は、必ずしもハードウエアとして独立して存在している必要はない。すなわち、各構成が、合体していてもよいし、ソフトウエアのプロセスによって構成されていてもよい。
【００３０】
図２に、ベースバンド信号処理部１３の機能ブロックを示す。図３に示すように、ベースバンド信号処理部１３は、上位レイヤ機能部１３１と、ＲＬＣサブレイヤとして機能するＲＬＣ機能部１３２と、ＭＡＣ-ｄ機能部１３３と、ＭＡＣ-ｅ機能部１３４と、レイヤ１として機能するレイヤ１機能部１３５とを具備している。
【００３１】
図３に示すように、ＲＬＣ機能部１３２は、上位レイヤ機能部１３１から受信したアプリケーションデータ（ＲＬＣ  ＳＤＵ）を、予め決められたＰＤＵサイズに分割し、順序整理処理や再送処理等に用いるＲＬＣヘッダを付与することによって、ＲＬＣ  ＰＤＵを生成して、ＭＡＣ-ｄ機能部１３３に渡す。
【００３２】
ここで、ＲＬＣ機能部１３２とＭＡＣ-ｄ機能部１３３との間の橋渡しとして機能するパイプを「論理チャネル」とする。論理チャネルは、送受信するデータの内容によって分類され、通信を行う場合、１つのコネクションにおいて複数の論理チャネルを持つことが可能である。すなわち、複数の内容のデータ（例えば、制御データ及びユーザデータ等）を論理的に並列して送受信することができる。
【００３３】
ＭＡＣ-ｄ機能部１３３は、論理チャネルを多重し、かかる多重に伴うＭＡＣ-ｄヘッダを付与することによって、ＭＡＣ-ｄ  ＰＤＵを生成する。なお、複数のＭＡＣ-ｄ  ＰＤＵは、ＭＡＣ-ｄフローとして、ＭＡＣ-ｄ機能部１３３からＭＡＣ-ｅ機能部１３４に転送されるものとする。
【００３４】
ＭＡＣ-ｅ機能部１３４は、ＭＡＣ-ｄ機能部１３３からＭＡＣ-ｄフローとして受信した複数のＭＡＣ-ｄ  ＰＤＵをまとめてＭＡＣ-ｅヘッダを付与することによって、トランスポートブロックを生成し、生成したトランスポートブロックを、トランスポートチャネルを介してレイヤ１機能部１３５に渡す。
【００３５】
また、ＭＡＣ-ｅ機能部１３４は、ＭＡＣ-ｄ機能部１３３の下位レイヤとして機能するものであって、ハイブリッドＡＲＱ（ＨＡＲＱ）による再送制御機能や、伝送速度制御機能を行うものである。
【００３６】
具体的には、ＭＡＣ-ｅ機能部１３４は、図４に示すように、多重部１３４ａと、Ｅ-ＴＦＣ選択部１３４ｂと、ＨＡＲＱ処理部１３４ｃとを具備している。
【００３７】
多重部１３４ａは、Ｅ-ＴＦＣ選択部１３４ｂから通知されたＥ-ＴＦＩ（Ｅｎｈａｎｃｅｄ-Ｔｒａｎｓｐｏｒｔ  Ｆｏｒｍａｔ  Ｉｎｄｉｃａｔｏｒ）に基づいて、ＭＡＣ-ｄ機能部１３３からＭＡＣ-ｄフローとして受信した上りユーザデータに対して多重化処理を行い、トランスポートチャネル（Ｅ-ＤＣＨ）を介して送信すべき上りユーザデータ（トランスポートブロック）を生成して、ＨＡＲＱ処理部１３４ｃに送信するように構成されている。
【００３８】
以下、ＭＡＣ-ｄフローとして受信した上りユーザデータを「上りユーザデータ（ＭＡＣ-ｄフロー）」と示し、トランスポートチャネル（Ｅ-ＤＣＨ）を介して送信すべき上りユーザデータを「上りユーザデータ（Ｅ-ＤＣＨ）」と示す。
【００３９】
ここで、Ｅ-ＴＦＩは、トランスポートチャネル（Ｅ-ＤＣＨ）上でＴＴＩごとにトランスポートブロックを供給するフォーマットであるトランスポートフォーマットの識別子であり、上述のＭＡＣ-ｅヘッダに付与されるものである。
【００４０】
また、多重部１３４ａは、Ｅ-ＴＦＣ選択部１３４ｂから通知されたＥ-ＴＦＩに基づいて、上りユーザデータに適用される送信データブロックサイズを判断して、ＨＡＲＱ処理部１３４ｃに通知するように構成されている。
【００４１】
なお、多重部１３４ａは、ＭＡＣ-ｄ機能部１３３からＭＡＣ-ｄフローとして上りユーザデータを受信した場合、当該上りユーザデータ用のトランスポートフォーマットを選択するためのＥ-ＴＦＣ選択情報を、Ｅ-ＴＦＣ選択部１３４ｂに通知するように構成されている。
【００４２】
ここで、Ｅ-ＴＦＣ選択情報には、上りユーザデータのデータサイズや優先度クラス等が該当する。
【００４３】
また、多重部１３４ａは、ＭＡＣ-ｄ機能部１３３から発信要求を受信した場合、ＲＡＣＨ（Ｒａｎｄｏｍ  Ａｃｃｅｓｓ  Ｃｈａｎｎｅｌ）上に多重してレイヤ１機能部１３５に送信するように構成されている。ここで、発信要求は、移動局ＵＥが上りユーザデータを送信するためのデータコネクション（ＤＣＨ（Ｄｅｄｉｃａｔｅｄ  Ｃｈａｎｎｅｌ）、Ｅ-ＤＰＤＣＨ）を設定するように要求するものである。
【００４４】
ＨＡＲＱ処理部１３４ｃは、Ｎチャネルのストップアンドウェイト（Ｎ-ＳＡＷ）プロトコルによって、レイヤ１機能部１３５から通知された上りユーザデータ用のＡＣＫ/ＮＡＣＫに基づいて、上りユーザデータ（Ｅ-ＤＣＨ）に係る再送制御処理を行うように構成されている。ここで、図５に、４チャネルのストップアンドウェイトプロトコルの動作例を示す。
【００４５】
また、ＨＡＲＱ処理部１３４ｃは、多重部１３４ａから受信した上りユーザデータ（Ｅ-ＤＣＨ）、及び、ＨＡＲＱ処理に用いられるＨＡＲＱ情報（例えば、再送番号等）を、レイヤ１機能部１３５に送信するように構成されている。
【００４６】
Ｅ-ＴＦＣ選択部１３４ｂは、上りユーザデータ（Ｅ-ＤＣＨ）に適用するトランスポートフォーマット（Ｅ-ＴＦ）を選択することによって、当該上りユーザデータの伝送速度を決定するように構成されている。
【００４７】
具体的には、Ｅ-ＴＦＣ選択部１３４ｂは、無線基地局ＮｏｄｅＢから受信したスケジューリング情報（例えば、上りユーザデータの絶対伝送速度や相対伝送速度）や、ＭＡＣ-ｄ機能部１３３から渡されたＭＡＣ-ｄ  ＰＤＵのデータ量（上りユーザデータのデータサイズ）や、ＭＡＣ-ｅ機能部１３４において管理されている無線基地局ＮｏｄｅＢのハードウエアリソースの状態等に基づいて、上りユーザデータの送信実行又は送信停止を決定し、さらに、当該上りユーザデータの送信に適用されるトランスポートフォーマット（Ｅ-ＴＦ）を選択し、当該トランスポートフォーマットを識別するためのＥ-ＴＦＩをレイヤ１機能部１３５及び多重部１３４ａに通知するように構成されている。
【００４８】
例えば、Ｅ-ＴＦＣ選択部１３４ｂは、上りユーザデータの伝送速度と、トランスポートフォーマットとを関連付けて記憶しており、レイヤ１機能部１３５からのスケジューリング情報に基づいて上りユーザデータの伝送速度を更新して、更新した上りユーザデータの伝送速度に関連付けられているトランスポートフォーマットを識別するためのＥ-ＴＦＩをレイヤ１機能部１３５及び多重部１３４ａに通知するように構成されている。
【００４９】
ここで、Ｅ-ＴＦＣ選択部１３４ｂは、Ｅ-ＡＧＣＨを介して、スケジューリング情報として、移動局ＵＥのサービングセルからの上りユーザデータの絶対伝送速度を受信した場合、上りユーザデータの伝送速度を当該上りユーザデータの絶対伝送速度に変更する。
【００５０】
また、Ｅ-ＴＦＣ選択部１３４ｂは、Ｅ-ＲＧＣＨを介して、スケジューリング情報として、移動局ＵＥの非サービングセルからの上りユーザデータの相対伝送速度（ＵＰコマンド又はＤＯＷＮコマンド）を受信した場合、その時点における上りユーザデータの伝送速度を、上りユーザデータの相対伝送速度に基づいて予め決められている速度だけ増加又は減少させる。
【００５１】
本明細書において、上りユーザデータの伝送速度は、Ｅ-ＤＰＤＣＨを介して上りユーザデータを送信可能な速度であってもよいし、上りユーザデータを送信するための送信データブロックサイズ（ＴＢＳ）であってもよいし、Ｅ-ＤＰＤＣＨの送信電力であってもよいし、Ｅ-ＤＰＤＣＨとＤＰＣＣＨ（Ｄｅｄｉｃａｔｅｄ  Ｐｈｙｓｉｃａｌ  Ｃｏｎｔｒｏｌ  Ｃｈａｎｎｅｌ）との送信電力比（送信電力オフセット）であってもよい。
【００５２】
Ｅ-ＴＦＣ選択部１３４ｂは、ＨＡＲＱプロファイルを記憶するように構成されている。ここで、ＨＡＲＱプロファイルは、上りユーザデータの送信データブロックサイズと、Ｅ-ＤＰＤＣＨとＤＰＣＣＨとの送信電力比（Ｅ-ＤＰＤＣＨ送信電力比、Ｅ-ＤＰＤＣＨ送信電力オフセット）とを関連付ける対応表である（図１５参照）。
【００５３】
なお、Ｅ-ＴＦＣ選択部１３４ｂは、予め決められたＨＡＲＱプロファイルを記憶するように構成されていてもよいし、無線回線制御局ＲＮＣとの間で制御情報を送受信するための制御コネクション（ＤＰＣＣＨ）を介して受信したＨＡＲＱプロファイルを記憶するように構成されていてもよい。
【００５４】
また、Ｅ-ＴＦＣ選択部１３４ｂは、論理チャネルごとや、上位レイヤのフローごとに、別々のＨＡＲＱプロファイルを記憶していてもよい（図１６参照）。かかる場合、Ｅ-ＴＦＣ選択部１３４ｂは、移動局ＵＥが上りユーザデータを送信するためのデータコネクションを設定する際に、無線回線制御局ＲＮＣによって指定されたＨＡＲＱプロファイルＩＤ（対応表の識別情報）によって識別されるＨＡＲＱプロファイルを用いる。
【００５５】
ここで、ＨＡＲＱプロファイルが論理チャネルごとに別々に記憶されている場合、ＨＡＲＱプロファイルＩＤとして論理チャネルＩＤが指定され、ＨＡＲＱプロファイルが上位レイヤのフローごとに別々に記憶されている場合、ＨＡＲＱプロファイルＩＤとしてフローＩＤが指定されるように構成されていてもよい。
【００５６】
なお、上りユーザデータのトランスポートフォーマットにおける上りユーザデータの送信データブロックサイズとＥ-ＤＰＤＣＨ送信電力比との関係は、ＨＡＲＱプロファイルにおける上りユーザデータの送信データブロックサイズとＥ-ＤＰＤＣＨ送信電力比との対応関係を満たすように設定されている。
【００５７】
図６に示すように、レイヤ１機能部１３５は、伝送チャネル符号化部１３５ａと、物理チャネルマッピング部１３５ｂと、Ｅ-ＤＰＤＣＨ送信部１３５ｃと、Ｅ-ＤＰＣＣＨ送信部１３５ｄと、Ｅ-ＨＩＣＨ受信部１３５ｅと、Ｅ-ＲＧＣＨ受信部１３５ｆと、Ｅ-ＡＧＣＨ受信部１３５ｇと、物理チャネルデマッピング部１３５ｈと、ＰＲＡＣＨ送信部１３５ｉと、Ｓ-ＣＣＰＣＨ受信部１３５ｊと、ＤＰＣＨ受信部１３５ｋとを具備している。
【００５８】
伝送チャネル符号化部１３５ａは、図７に示すように、ＦＥＣ（Ｆｏｒｗａｒｄ  Ｅｒｒｏｒ  Ｃｏｌｌｅｃｔｉｏｎ）符号化部１３５ａ１と、伝送速度整合部１３５ａ２とを具備している。
【００５９】
図７に示すように、ＦＥＣ符号化部１３５ａ１は、ＭＡＣ-ｅ機能部１３４から送信された上りユーザデータ（Ｅ-ＤＣＨ）、すなわち、トランスポートブロックに対して、誤り訂正符号化処理を施すように構成されている。
【００６０】
また、図７に示すように、伝送速度整合部１３５ａ２は、誤り訂正符号化処理を施したトランスポートブロックに対して、物理チャネルの伝送容量に合わせるための「レペティション（ビット繰り返し）」や「パンクチャ（ビットの間引き）」を施すように構成されている。
【００６１】
物理チャネルマッピング部１３５ｂは、伝送チャネル符号化部１３５ａからの上りユーザデータ（Ｅ-ＤＣＨ）をＥ-ＤＰＤＣＨにマッピングし、伝送チャネル符号化部１３５ａからのＥ-ＴＦＩ及びＨＡＲＱ情報をＥ-ＤＰＣＣＨにマッピングし、伝送チャネル符号化部１３５ａからの発信要求（ＲＡＣＨ）をＰＲＡＣＨ（Ｐｈｙｓｉｃａｌ  Ｒａｎｄｏｍ  Ａｃｃｅｓｓ  Ｃｈａｎｎｅｌ）にマッピングするように構成されている。
【００６２】
Ｅ-ＤＰＤＣＨ送信部１３５ｃは、上述のＥ-ＤＰＤＣＨについての送信処理を行うように構成されており、Ｅ-ＤＰＣＣＨ送信部１３５ｄは、上述のＥ-ＤＰＣＣＨについての送信処理を行うように構成されている。
【００６３】
なお、Ｅ-ＤＰＣＣＨには、Ｅ-ＤＰＤＣＨのフォーマット情報（例えば、上りユーザデータの送信データブロックサイズ等）がマッピングされているものとする。
【００６４】
ＰＲＡＣＨ送信部１３５ｉは、上述のＰＲＡＣＨについての送信処理を行うように構成されている。
【００６５】
また、ＰＲＡＣＨ送信部１３５ｉは、移動局ＵＥに対して制御情報を送信するための制御コネクション（ＤＰＣＣＨ）が設定された旨を通知する制御コネクション設定応答を送信するＰＲＡＣＨについての送信処理を行うように構成されている。
【００６６】
Ｅ-ＨＩＣＨ受信部１３５ｅは、無線基地局ＮｏｄｅＢから送信されたＥ-ＨＩＣＨ（Ｅ-ＤＣＨ  ＨＡＲＱ  Ａｃｋｎｏｗｌｅｄｇｅｍｅｎｔ  Ｉｎｄｉｃａｔｏｒ  Ｃｈａｎｎｅｌ）を受信するように構成されている。
【００６７】
Ｅ-ＲＧＣＨ受信部１３５ｆは、無線基地局ＮｏｄｅＢ（移動局ＵＥのサービングセル及び非サービングセル）から送信されたＥ-ＲＧＣＨを受信するように構成されており、Ｅ-ＡＧＣＨ受信部１３５ｇは、無線基地局ＮｏｄｅＢ（移動局ＵＥのサービングセル）から送信されたＥ-ＡＧＣＨを受信するように構成されている。
【００６８】
Ｓ-ＣＣＰＣＨ受信部１３５ｊは、無線基地局ＮｏｄｅＢから送信されたＳ-ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）を受信するように構成されており、ＤＰＣＨ受信部１３５ｋは、無線基地局ＮｏｄｅＢから送信されたＤＰＣＨを受信するように構成されている。
【００６９】
物理チャネルデマッピング部１３５ｈは、Ｅ-ＨＩＣＨ受信部１３５ｅにより受信されたＥ-ＨＩＣＨに含まれる上りユーザデータ用のＡＣＫ/ＮＡＣＫを抽出してＭＡＣ-ｅ機能部１３４に送信するように構成されている。
【００７０】
また、物理チャネルデマッピング部１３５ｈは、Ｅ-ＲＧＣＨ受信部１３５ｆにより受信されたＥ-ＲＧＣＨに含まれるスケジューリング情報（上りユーザデータの相対伝送速度、すなわち、ＵＰコマンド/ＤＯＷＮコマンド）を抽出してＭＡＣ-ｅ機能部１３４に送信するように構成されている。
【００７１】
また、物理チャネルデマッピング部１３５ｈは、Ｅ-ＡＧＣＨ受信部１３５ｇにより受信されたＥ-ＡＧＣＨに含まれるスケジューリング情報（上りユーザデータの絶対伝送速度）を抽出してＭＡＣ-ｅ機能部１３４に送信するように構成されている。
【００７２】
物理チャネルデマッピング部１３５ｈは、ＤＰＣＨ受信部１３５ｋにより受信されたＤＰＣＣＨに含まれるＨＡＲＱプロファイルＩＤを抽出してＭＡＣ-ｅ機能部１３４に送信するように構成されている。
【００７３】
図８は、本実施形態に係る無線基地局ＮｏｄｅＢの機能ブロック構成例である。図８に示すように、本実施形態に係る無線基地局ＮｏｄｅＢは、ＨＷＹインターフェース２１と、ベースバンド信号処理部２２と、送受信部２３と、アンプ部２４と、呼処理制御部２６と、送受信アンテナ２５とを具備する。
【００７４】
ＨＷＹインターフェース２１は、当該無線基地局ＮｏｄｅＢの上位に位置する無線回線制御局ＲＮＣから、送信すべき下りユーザデータを受信して、ベースバンド信号処理部２２に入力するように構成されている。また、ＨＷＹインターフェース２１は、ベースバンド信号処理部２２からの上りユーザデータを、無線回線制御局ＲＮＣに送信するように構成されている。
【００７５】
ベースバンド信号処理部２２は、下りユーザデータに対してチャネル符号化処理や拡散処理等のレイヤ１処理を行った後、かかる下りユーザデータを含むベースバンド信号を送受信部２３に送信するように構成されている。
【００７６】
また、ベースバンド信号処理部２２は、ベースバンド信号処理部２２からのベースバンド信号に対して、逆拡散処理やＲＡＫＥ合成処理や、誤り訂正復号化処理等のレイヤ１処理を行った後、取得した上りユーザデータをＨＷＹインターフェース２１に送信するように構成されている。
【００７７】
送受信部２３は、ベースバンド信号処理部２２からのベースバンド信号を無線周波数帯信号に変換するように構成されている。また、送受信部２３は、アンプ部２４からの無線周波数帯信号をベースバンド信号に変換するように構成されている。
【００７８】
アンプ部２４は、送受信部２３からの無線周波数帯信号を増幅して、送受信アンテナ２５を介して送信するように構成されている。また、アンプ部２４は、送受信アンテナ２５において受信された信号を増幅して送受信部２３に送信するように構成されている。
【００７９】
呼処理制御部２６は、無線回線制御局ＲＮＣとの間で、呼処理制御信号の送受信を行い、当該無線基地局ＮｏｄｅＢの各機能部の状態管理や、レイヤ３によるハードウエアリソース割り当て等の処理を行うように構成されている。
【００８０】
図９は、ベースバンド信号処理部２２の機能ブロック図である。図１０に示すように、ベースバンド信号処理部２２は、レイヤ１機能部２２１と、ＭＡＣ-ｅ機能部２２２とを具備している。
【００８１】
図１０に示すように、レイヤ１機能部２２１は、Ｅ-ＤＰＣＣＨ逆拡散・ＲＡＫＥ合成部２２１ａと、Ｅ-ＤＰＣＣＨ復号部２２１ｂと、Ｅ-ＤＰＤＣＨ逆拡散・ＲＡＫＥ合成部２２１ｃと、バッファ２２１ｄと、再逆拡散部２２１ｅと、ＨＡＲＱバッファ２２１ｆと、誤り訂正復号部２２１ｇと、伝送チャネル符号化部２２１ｈと、物理マッピング部２２１ｉと、Ｅ-ＨＩＣＨ送信部２２１ｊと、Ｅ-ＡＧＣＨ送信部２２１ｋと、Ｅ-ＲＧＣＨ送信部２２１ｌと、ＰＲＡＣＨ逆拡散・ＲＡＫＥ合成部２２１ｍと、ＰＲＡＣＨ復号部２２１ｎと、Ｓ-ＣＣＰＣＨ送信部２２１ｏと、ＤＰＣＨ送信部２２１ｐと、ＤＰＣＣＨ受信電力測定部２２１ｑとを具備している。
【００８２】
なお、これらの構成は、必ずしもハードウエアとして独立して存在している必要はない。すなわち、各構成が、合体していてもよいし、ソフトウエアのプロセスによって構成されていてもよい。
【００８３】
Ｅ-ＤＰＣＣＨ逆拡散・ＲＡＫＥ部２２１ａは、Ｅ-ＤＰＣＣＨに対して逆拡散処理及びＲＡＫＥ合成処理を施すように構成されている。
【００８４】
Ｅ-ＤＰＣＣＨ復号部２２１ｂは、Ｅ-ＤＰＣＣＨ逆拡散・ＲＡＫＥ部２２１ａからの出力に基づいて、上りユーザデータの伝送速度を判定するためのＥ-ＴＦＣＩ（又は、Ｅ-ＴＦＲＩ：Ｅｎｈａｎｃｅｄ  Ｔｒａｎｓｐｏｒｔ  Ｆｏｒｍａｔ  ａｎｄ  Ｒｅｓｏｕｒｃｅ  Ｉｎｄｉｃａｔｏｒ）を復号して、ＭＡＣ-ｅ機能部２２ｃに送信するように構成されている。
【００８５】
具体的には、Ｅ-ＤＰＣＣＨ復号部２２１ｂは、移動局から送信されたＥ-ＤＰＣＣＨから、上りユーザデータの送信データブロックサイズ（ＴＢＳ）を抽出して、ＭＡＣ-ｅ機能部２２ｃに通知するように構成されている。
【００８６】
Ｅ-ＤＰＤＣＨ逆拡散・ＲＡＫＥ合成部２２１ｃは、Ｅ-ＤＰＤＣＨに対して、Ｅ-ＤＰＤＣＨが取り得る最高レートに対応する拡散率（最小の拡散率）及びマルチコード数を用いて逆拡散処理を施して、バッファ２２１ｄに蓄積するように構成されている。かかる拡散率及びマルチコード数を用いて逆拡散処理を行うことによって、移動局ＵＥが取り得る最高レート（ビットレート）まで受信できるようにリソースを確保することができる。
【００８７】
再逆拡散部２２１ｅは、ＭＡＣ-ｅ機能部２２２から通知された拡散率及びマルチコード数を用いて、バッファ２２１ｄに記憶されているデータに対して再逆拡散処理を施して、ＨＡＲＱバッファ２２１ｆに蓄積するように構成されている。
【００８８】
誤り訂正復号部２２１ｇは、ＭＡＣ-ｅ機能部２２２から通知された符号化レートに基づいて、バッファ２２１ｄに記憶されているデータに対して誤り訂正復号処理を施すことによって取得した上りユーザデータ（Ｅ-ＤＣＨ）をＭＡＣ-ｅ機能部２２２に送信するように構成されている。
【００８９】
ＰＲＡＣＨ逆拡散・ＲＡＫＥ合成部２２１ｍは、ＰＲＡＣＨに対して逆拡散処理及びＲＡＫＥ合成処理を施すように構成されている。また、ＰＲＡＣＨ復号部２２１ｎは、ＰＲＡＣＨ逆拡散・ＲＡＫＥ合成部２２１ｍからの出力に基づいて、移動局ＵＥから送信された発信要求又は制御コネクション設定応答を復号して、ＲＡＣＨを介してＭＡＣ-ｅ機能部２２ｃに送信するように構成されている。
【００９０】
伝送チャネル符号化部２２１ｈは、ＭＡＣ-ｅ機能部２２２から受信した上りユーザデータ用のＡＣＫ/ＮＡＣＫ及びスケジューリング情報について、必要な符号化処理を施すように構成されている。
【００９１】
物理チャネルマッピング部２２１ｉは、伝送チャネル符号化部２２１ｈからの上りユーザデータ用のＡＣＫ/ＮＡＣＫをＥ-ＨＩＣＨにマッピングし、伝送チャネル符号化部２２１ｈからのスケジューリング情報（絶対伝送速度）をＥ-ＡＧＣＨにマッピングし、伝送チャネル符号化部２２１ｈからのスケジューリング情報（相対伝送速度）をＥ-ＲＧＣＨにマッピングするように構成されている。
【００９２】
また、物理チャネルマッピング部２２１ｉは、移動局ＵＥに対して制御情報を送信するための制御コネクションの設定を要求する制御コネクション設定要求をＳ-ＣＣＰＣＨにマッピングするように構成されている。
【００９３】
また、物理チャネルマッピング部２２１ｉは、ＨＡＲＱプロファイルＩＤ等を移動局ＵＥに通知するための論理制御チャネルを、ＤＰＤＣＨにマッピングするように構成されている。
【００９４】
Ｅ-ＨＩＣＨ送信部２２１ｊは、上述のＥ-ＨＩＣＨについての送信処理を行うように構成されており、Ｅ-ＡＧＣＨ送信部２２１ｋは、上述のＥ-ＡＧＣＨについての送信処理を行うように構成されており、Ｅ-ＲＧＣＨ送信部２２１ｌは、上述のＥ-ＲＧＣＨについての送信処理を行うように構成されている。
【００９５】
Ｓ-ＣＣＰＣＨ送信部２２１ｏは、上述のＳ-ＣＣＰＣＨについての送信処理を行うように構成されており、ＤＰＣＨ送信部２２１ｐは、上述のＤＰＣＨについての送信処理を行うように構成されている。
【００９６】
ＤＰＣＣＨ受信電力測定部２２１ｑは、受信したＤＰＣＣＨの受信電力を測定し、測定結果をＭＡＣ-ｅ機能部２２２に通知するように構成されている。
【００９７】
図１１に示すように、ＭＡＣ-ｅ機能部２２２は、ＨＡＲＱ処理部２２２ａと、受信処理命令部２２２ｂと、スケジューリング部２２２ｃと、多重化解除部２２２ｄと、多重化部２２２ｅとを具備している。
【００９８】
ＨＡＲＱ処理部２２２ａは、レイヤ１機能部２２１から受信した上りユーザデータ（Ｅ-ＤＣＨ）及びＨＡＲＱ情報を受信して、当該上りユーザデータ（Ｅ-ＤＣＨ）についてのＨＡＲＱ処理を行うように構成されている。
【００９９】
また、ＨＡＲＱ処理部２２２ａは、当該上りユーザデータ（Ｅ-ＤＣＨ）についての受信処理結果を示すＡＣＫ/ＮＡＣＫ（上りユーザデータ用）をレイヤ１機能部２２１に通知するように構成されている。また、ＨＡＲＱ処理部２２２ａは、プロセスごとのＡＣＫ/ＮＡＣＫ（上りユーザデータ用）をスケジューリング部２２２ｃに通知するように構成されている。
【０１００】
受信処理命令部２２２ｂは、レイヤ１機能部２２１のＥ-ＤＰＣＣＨ復号部２２１ｂから受信したＴＴＩごとのＥ-ＴＦＣＩによって特定された各移動局ＵＥのトランスポートフォーマットに係る拡散率及びマルチコード数を再逆拡散部２２１ｅ及びＨＡＲＱバッファ２２１ｆに通知し、符号化レートを誤り訂正復号部２２１ｇに通知するように構成されている。
【０１０１】
スケジューリング部２２２ｃは、レイヤ１機能部２２１のＥ-ＤＰＣＣＨ復号部２２１ｂから受信したＴＴＩごとのＥ-ＴＦＣＩや、ＨＡＲＱ処理部２２２ａから受信したプロセスごとのＡＣＫ/ＮＡＣＫや、干渉レベル等に基づいて、上述の上りユーザデータの絶対伝送速度又は相対伝送速度を変更するように構成されている。
【０１０２】
また、スケジューリング部２２２ｃは、移動局ＵＥにおけるＥ-ＴＦＣ選択部１３４ｂと同様に、１つ又は複数のＨＡＲＱプロファイルを記憶するように構成されている。
【０１０３】
また、スケジューリング部２２２ｃは、記憶しているＨＡＲＱプロファイルを参照して、レイヤ１機能部２２２から送信された（Ｅ-ＤＰＣＣＨ復号部２２１ｂによって抽出された）上りユーザデータの送信データブロックサイズに関連付けられているＥ-ＤＰＤＣＨ送信電力比を取得するように構成されている。
【０１０４】
スケジューリング部２２２ｃは、複数のＨＡＲＱプロファイルを記憶している場合、無線回線制御局ＲＮＣによって通知されたＨＡＲＱプロファイルＩＤによって識別されるＨＡＲＱを参照して、上述のＥ-ＤＰＤＣＨ送信電力比を取得するように構成されている。
【０１０５】
スケジューリング部２２２ｃは、測定したＤＰＣＣＨの受信電力と、取得したＥ-ＤＰＤＣＨ送信電力比とに基づいて、Ｅ-ＤＰＤＣＨの受信電力を算出するように構成されている。
【０１０６】
スケジューリング部２２２ｃは、算出したＥ-ＤＰＤＣＨの受信電力に基づいて、上りユーザデータの相対伝送速度を算出するように構成されている。
【０１０７】
具体的には、スケジューリング部２２２ｃは、無線基地局ＮｏｄｅＢによって管理されているセルをサービングセルとするサービング移動局から送信されたＥ-ＤＰＤＣＨの受信電力の積算値と、無線基地局ＮｏｄｅＢによって管理されているセルをサービングセルとしない非サービング移動局から送信されたＥ-ＤＰＤＣＨの受信電力の積算値との比較結果に基づいて、上りユーザデータの相対伝送速度を算出するように構成されている。
【０１０８】
なお、スケジューリング部２２２ｃは、スケジューリング情報として、かかる上りユーザデータの絶対伝送速度又は相対伝送速度を、ＤＣＨを介してレイヤ１機能部２２１に通知するように構成されている。
【０１０９】
多重化解除部２２２ｄは、ＨＡＲＱ処理部２２２ａから受信した上りユーザデータ（Ｅ-ＤＣＨ）に対して多重化解除処理を施すことによって取得した上りユーザデータをＨＷＹインターフェース２１に送信するように構成されている。
【０１１０】
また、多重化解除部２２２ｄは、レイヤ１機能部２２１から受信した発信要求（ＲＡＣＨ）や制御コネクション設定応答（ＲＡＣＨ）に対して多重化解除処理を施す個々とによって取得して結果を、ＨＷＹインターフェース２１に送信するように構成されている。
【０１１１】
多重化部２２２ｅは、ＨＷＹインターフェース２１を介して無線回線制御局ＲＮＣから受信した制御コネクション設定要求をＦＡＣＨ（Ｆｏｒｗａｒｄ  Ａｃｃｅｓｓ  Ｃｈａｎｎｅｌ）上に多重化してレイヤ１機能部２２１に送信するように構成されている。
【０１１２】
多重化部２２２ｅは、ＨＷＹインターフェース２１を介して無線回線制御局ＲＮＣから受信したＨＡＲＱプロファイルＩＤをＤＣＨ上に多重化して、レイヤ１機能部２２１に送信するように構成されている。
【０１１３】
本実施形態に係る無線回線制御局ＲＮＣは、無線基地局ＮｏｄｅＢの上位に位置する装置であり、無線基地局ＮｏｄｅＢと移動局ＵＥとの間の無線通信を制御するように構成されている。
【０１１４】
図１２に示すように、本実施形態に係る無線回線制御局ＲＮＣは、交換局インターフェース３１と、ＬＬＣレイヤ処理部３２と、ＭＡＣレイヤ処理部３３と、メディア信号処理部３４と、無線基地局インターフェース３５と、呼処理制御部３６とを具備している。
【０１１５】
交換局インターフェース３１は、交換局１とのインターフェースである。交換局インターフェース３１は、交換局１から送信された下りリンク信号をＬＬＣレイヤ処理部３２に転送し、ＬＬＣレイヤ処理部３２から送信された上りリンク信号を交換局１に転送するように構成されている。
【０１１６】
ＬＬＣレイヤ処理部３２は、シーケンスパターン番号等のヘッダ又はトレーラの合成処理等のＬＬＣ（論理リンク制御：Ｌｏｇｉｃａｌ  Ｌｉｎｋ  Ｃｏｎｔｒｏｌ）サブレイヤ処理を施すように構成されている。ＬＬＣレイヤ処理部３２は、ＬＬＣサブレイヤ処理を施した後、上りリンク信号については交換局インターフェース３１に送信し、下りリンク信号についてはＭＡＣレイヤ処理部３３に送信するように構成されている。
【０１１７】
ＭＡＣレイヤ処理部３３は、優先制御処理やヘッダ付与処理等のＭＡＣレイヤ処理を施すように構成されている。ＭＡＣレイヤ処理部３３は、ＭＡＣレイヤ処理を施した後、上りリンク信号についてはＬＬＣレイヤ処理部３２に送信し、下りリンク信号については無線基地局インターフェース３５（又は、メディア信号処理部３４）に送信するように構成されている。
【０１１８】
メディア信号処理部３４は、音声信号やリアルタイムの画像信号に対して、メディア信号処理を施すように構成されている。メディア信号処理部３４は、メディア信号処理を施した後、上りリンク信号についてはＭＡＣレイヤ処理部３３に送信し、下りリンク信号については無線基地局インターフェース３５に送信するように構成されている。
【０１１９】
無線基地局インターフェース３５は、無線基地局ＮｏｄｅＢとのインターフェースである。無線基地局インターフェース３５は、無線基地局ＮｏｄｅＢから送信された上りリンク信号をＭＡＣレイヤ処理部３３（又は、メディア信号処理部３４）に転送し、ＭＡＣレイヤ処理部３３（又は、メディア信号処理部３４）から送信された下りリンク信号を無線基地局ＮｏｄｅＢに転送するように構成されている。
【０１２０】
呼処理制御部３６は、無線リソース管理処理や、レイヤ３シグナリングによるチャネルの設定及び開放処理等を施すように構成されている。ここで、無線リソース管理には、呼受付制御やハンドオーバー制御等が含まれる。
【０１２１】
また、呼処理制御部３６は、移動局ＵＥが上りユーザデータを送信するためのデータコネクション（ＤＣＨ、Ｅ-ＤＰＤＣＨ）を設定する際に、移動局ＵＥ及び無線基地局ＮｏｄｅＢに対して、ＨＡＲＱプロファイルＩＤを通知するように構成されていてもよい。
【０１２２】
また、呼処理制御部３６は、ＨＡＲＱプロファイルが１つしか存在しない場合は、移動局ＵＥが上りユーザデータを送信するためのデータコネクション（ＤＣＨ、Ｅ-ＤＰＤＣＨ）を設定する際に、ＨＡＲＱプロファイルＩＤを通知しないように構成されていてもよい。
【０１２３】
（本発明の第１の実施形態に係る移動通信システムの動作）
以下、図１３乃至図１８を参照して、本実施形態に係る移動通信システムの動作について説明する。
【０１２４】
第１に、図１３を参照して、本実施形態に係る移動通信システムにおけるセル設定動作について説明する。
【０１２５】
図１３に示すように、ステップＳ１００１において、無線回線制御局ＲＮＣは、無線基地局ＮｏｄｅＢが立ち上げられたとき、或いは、無線基地局ＮｏｄｅＢに設定すべきパラメータを変更する場合等に、セル設定要求を無線基地局ＮｏｄｅＢに送信する。
【０１２６】
かかるセル設定要求によって、例えば、サービング移動局からのＥ-ＤＰＤＣＨの受信電力と非サービング移動局からのＥ-ＤＰＤＣＨの受信電力との比の目標値が通知される。
【０１２７】
ステップＳ１００２において、無線基地局ＮｏｄｅＢは、セル設定要求によって通知されたパラメータを設定したことを通知するためのセル設定応答を、無線回線制御局ＲＮＣに送信する。
【０１２８】
第２に、図１４を参照して、本実施形態に係る移動通信システムにおけるデータコネクション設定動作について説明する。
【０１２９】
図１４に示すように、ステップＳ２００１において、移動局ＵＥは、ＰＲＡＣＨ（ＲＡＣＨ）を用いて、当該移動局ＵＥが上りユーザデータを送信するためのデータコネクションの設定を要求する発信要求を送信する。
【０１３０】
ステップＳ２００２において、無線回線制御局ＲＮＣは、受信した発信要求に応じて、移動局ＵＥのサービングセルを管理する無線基地局ＮｏｄｅＢに対して、上述のデータコネクションを設定するように要求するコネクション設定要求を送信する。
【０１３１】
ステップＳ２００３において、無線基地局ＮｏｄｅＢは、移動局ＵＥと無線基地局ＮｏｄｅＢとの間で、上述のデータコネクションを設定することができると判断した場合、その旨を示すコネクション設定応答を無線回線制御局ＲＮＣに送信する。
【０１３２】
ステップＳ２００４において、無線回線制御局ＲＮＣは、移動局ＵＥに対して、Ｓ-ＣＣＰＣＨ（ＦＡＣＨ）を用いて、当該移動局ＵＥに対して制御情報（例えば、ＨＡＲＱプロファイルＩＤ等）を送信するための制御コネクション（ＤＣＨ、ＤＰＣＣＨ）の設定を要求する制御コネクション設定要求を送信する。
【０１３３】
ステップＳ２００５において、移動局ＵＥは、無線回線制御局ＲＮＣに対して、ＰＲＡＣＨ（ＲＡＣＨ）を用いて、上述の制御コネクションが設定されたことを通知するための制御コネクション設定応答を送信する。
【０１３４】
ステップＳ２００６において、かかる制御コネクションを介して、上述のデータコネクションを設定する。
【０１３５】
ここで、移動局ＵＥ及び無線基地局ＮｏｄｅＢにおいて、複数のＨＡＲＱプロファイルが記憶されている場合、無線回線制御局ＲＮＣは、移動局ＵＥ及び無線基地局ＮｏｄｅＢに対して、ＨＡＲＱプロファイルＩＤを通知する。
【０１３６】
その結果、後述する上りユーザデータの伝送速度制御動作において、通知されたＨＡＲＱプロファイルＩＤによって特定されるＨＡＲＱプロファイルが用いられる。
【０１３７】
一方、移動局ＵＥ及び無線基地局ＮｏｄｅＢにおいて、１つのＨＡＲＱプロファイルだけが記憶されている場合、無線回線制御局ＲＮＣは、移動局ＵＥ及び無線基地局ＮｏｄｅＢに対して、ＨＡＲＱプロファイルを通知する必要は無い。
【０１３８】
第３に、図１７及び図１８を参照して、本実施形態に係る移動通信システムにおける上りユーザデータの伝送速度制御動作について説明する。
【０１３９】
図１７に示すように、ステップＳ２０１において、無線基地局ＮｏｄｅＢは、当該無線基地局ＮｏｄｅＢが無線リンクを確立している移動局の各々、すなわち、当該無線基地局ＮｏｄｅＢがＥ-ＤＰＤＣＨを受信するように設定されている移動局の各々からのＥ-ＤＰＤＣＨの受信電力を推定する。図１８を参照して、各移動局ＵＥからのＥ-ＤＰＤＣＨの受信電力を推定する動作について説明する。
【０１４０】
図１８に示すように、ステップＳ１０１において、無線基地局ＮｏｄｅＢは、移動局ＵＥから送信されたＤＰＣＣＨの受信電力を測定する。
【０１４１】
ステップＳ１０２において、無線基地局ＮｏｄｅＢは、移動局ＵＥから送信されたＥ-ＤＰＣＣＨを復号して、復号した当該Ｅ-ＤＰＣＣＨから上りユーザデータの送信データブロックサイズ（ＴＢＳ）を抽出する。
【０１４２】
ステップＳ１０３において、無線基地局ＮｏｄｅＢは、ステップＳ２００６において無線回線制御局ＲＮＣによって通知されたＨＡＲＱプロファイルＩＤによって特定されるＨＡＲＱプロファイルを参照して、抽出した上りユーザデータの送信データブロックサイズに関連付けられているＥ-ＤＰＤＣＨ送信電力比を取得する。
【０１４３】
ステップＳ１０４において、無線基地局ＮｏｄｅＢは、測定したＤＰＣＣＨの受信電力と、取得したＥ-ＤＰＤＣＨ送信電力比とに基づいて、Ｅ-ＤＰＤＣＨの受信電力を算出する。具体的には、無線基地局ＮｏｄｅＢは、測定したＤＰＣＣＨの受信電力と取得したＥ-ＤＰＤＣＨ送信電力比との乗算結果を、Ｅ-ＤＰＤＣＨの受信電力として推定する。
【０１４４】
図１７に戻って、ステップＳ２０２において、無線基地局ＮｏｄｅＢは、当該無線基地局ＮｏｄｅＢのサービング移動局から送信されたＥ-ＤＰＤＣＨの受信電力の積算値、及び、当該無線基地局ＮｏｄｅＢの非サービング移動局から送信されたＥ-ＤＰＤＣＨの受信電力の積算値をそれぞれ算出する。
【０１４５】
ステップＳ２０３において、無線基地局ＮｏｄｅＢは、当該無線基地局ＮｏｄｅＢのサービング移動局から送信されたＥ-ＤＰＤＣＨの受信電力の積算値と、当該無線基地局ＮｏｄｅＢの非サービング移動局から送信されたＥ-ＤＰＤＣＨの受信電力の積算値とを比較する。
【０１４６】
具体的には、無線基地局ＮｏｄｅＢは、サービング移動局からのＥ-ＤＰＤＣＨの受信電力の積算値と非サービング移動局からのＥ-ＤＰＤＣＨの受信電力の積算値との比（サービング移動局受信電力対非サービング移動局受信電力比）が、ステップＳ１００１において無線回線制御局ＲＮＣから通知された目標値よりも小さいか否かについて判定する。
【０１４７】
小さいと判定された場合、本動作はステップＳ２０４に進み、それ以外の場合は、本動作は終了する。
【０１４８】
ステップＳ２０４において、無線基地局ＮｏｄｅＢは、図１８の動作によって算出されたＥ-ＤＰＤＣＨの受信電力に基づいて、上りユーザデータの相対伝送速度を算出する。
【０１４９】
すなわち、ステップＳ２０４において、無線基地局ＮｏｄｅＢは、上りユーザデータの相対伝送速度として「ＤＯＷＮコマンド」を生成して、移動局ＵＥに対して、Ｅ-ＲＧＣＨを介して当該ＤＯＷＮコマンド」を通知する。
【０１５０】
ここで、移動局ＵＥは、通知された「ＤＯＷＮコマンド（上りユーザデータの相対伝送速度）」に基づいて、上りユーザデータの伝送速度を制御する。
【０１５１】
（本発明の第１の実施形態に係る移動通信システムの作用・効果）
本実施形態に係る移動通信システムによれば、無線基地局ＮｏｄｅＢは、ＨＡＲＱプロファイル及び測定したＤＰＣＣＨの受信電力に基づいて、Ｅ-ＤＰＤＣＨの受信電力を推定することができるので、上りユーザデータのパターンが不明な状態であっても、簡易な方法で高精度に、Ｅ-ＤＰＤＣＨの受信電力を測定することができる。
【０１５２】
また、本実施形態に係る移動通信システムによれば、無線基地局ＮｏｄｅＢに１つだけしかＨＡＲＱプロファイルが記憶されていない場合、無線回線制御局ＲＮＣは、無線基地局ＮｏｄｅＢに対して、ＨＡＲＱプロファイルＩＤを送信する必要が無いので、無線回線基地局ＲＮＣと無線基地局ＮｏｄｅＢとの間の通信量を低減することができる。
【０１５３】
また、本実施形態に係る移動通信システムによれば、無線基地局ＮｏｄｅＢに複数のＨＡＲＱプロファイルが記憶されている場合であっても、無線回線制御局ＲＮＣは、無線基地局ＮｏｄｅＢに対して、ＨＡＲＱプロファイルＩＤを送信するだけでよいので、やはり、無線回線基地局ＲＮＣと無線基地局ＮｏｄｅＢとの間の通信量を低減することができる。
【０１５４】
以上、本発明を実施例により詳細に説明したが、当業者にとっては、本発明が本願中に説明した実施例に限定されるものではないということは明らかである。本発明の装置は、特許請求の範囲の記載により定まる本発明の趣旨及び範囲を逸脱することなく修正及び変更態様として実施することができる。従って、本願の記載は、例示説明を目的とするものであり、本発明に対して何ら制限的な意味を有するものではない。
【図面の簡単な説明】
【０１５５】
【図１】本発明の第１の実施形態に係る移動局の機能ブロック図である。
【図２】本発明の第１の実施形態に係る移動局のベースバンド信号処理部の機能ブロック図である。
【図３】本発明の第１の実施形態に係る移動局のベースバンド信号処理部の機能を説明するための図である。
【図４】本発明の第１の実施形態に係る移動局のベースバンド信号処理部におけるＭＡＣ-ｅ機能部の機能ブロック図である
【図５】本発明の第１の実施形態に係る移動局のベースバンド信号処理部におけるＭＡＣ-ｅ機能部のＨＡＲＱ処理部によって行われる４チャネルのストップアンドウェイトプロトコルの動作例を示す図である。
【図６】本発明の第１の実施形態に係る移動局のベースバンド信号処理部におけるレイヤ１機能部の機能ブロック図である。
【図７】本発明の第１の実施形態に係る移動局のベースバンド信号処理部におけるレイヤ１機能部の機能を説明するための図である。
【図８】本発明の第１の実施形態に係る無線基地局の機能ブロック図である。
【図９】本発明の第１の実施形態に係る無線基地局のベースバンド信号処理部の機能ブロック図である。
【図１０】本発明の第１の実施形態に係る無線基地局のベースバンド信号処理部におけるレイヤ１機能部の機能ブロック図である。
【図１１】本発明の第１の実施形態に係る無線基地局のベースバンド信号処理部におけるＭＡＣ-ｅ機能部の機能ブロック図である。
【図１２】本発明の第１の実施形態に係る無線回線制御局の機能ブロック図である。
【図１３】本発明の第１の実施形態に係る移動通信システムにおけるセル設定動作を示すシーケンス図である。
【図１４】本発明の第１の実施形態に係る移動通信システムにおけるデータコネクション設定動作を示すシーケンス図である。
【図１５】本発明の第１の実施形態に係る移動通信システムで用いられるＨＡＲＱプロファイルの一例を示す図である。
【図１６】本発明の第１の実施形態に係る移動通信システムで用いられるＨＡＲＱプロファイルの一例を示す図である。
【図１７】本発明の第１の実施形態に係る移動通信システムにおいて、上りユーザデータの送信電力を制御する動作を示すフローチャートである。
【図１８】本発明の第１の実施形態に係る移動通信システムにおいて、無線基地局が、Ｅ-ＤＰＤＣＨの受信電力を推測する動作を示すフローチャートである。
【図１９】一般的な移動通信システムの全体構成図である。
【図２０】従来技術に係る移動通信システムにおいて上りユーザデータの伝送速度を制御する方法を説明するための図である。
【図２１】従来技術に係る移動通信システムの全体構成図である。
【符号の説明】
【０１５６】
１…交換局、ＵＥ…移動局、１１…バスインターフェース、１２…呼処理制御部、１３…ベースバンド信号処理部、１３１…上位レイヤ機能部、１３２…ＲＬＣ機能部、１３３…ＭＡＣ-ｄ機能部、１３４…ＭＡＣ-ｅ機能部、１３４ａ…多重部、１３４ｂ…Ｅ-ＴＦＣ選択部、１３４ｃ…ＨＡＲＱ処理部、１３５…レイヤ１機能部、１３５ａ…伝送チャネル符号化部、１３５ｂ…物理チャネルマッピング部、１３５ｃ…Ｅ-ＤＰＤＣＨ送信部、１３５ｄ…Ｅ-ＤＰＣＣＨ送信部、１３５ｅ…Ｅ-ＨＩＣＨ受信部、１３５ｆ…Ｅ-ＲＧＣＨ受信部、１３５ｇ…Ｅ-ＡＧＣＨ受信部、１３５ｈ…物理チャネルデマッピング部、１３５ｉ…ＰＲＡＣＨ送信部、１３５ｊ…Ｓ-ＣＣＰＣＨ受信部、１３５ｋ…ＤＰＣＨ受信部、１４…送受信部、１５…送受信アンテナ、ＮｏｄｅＢ…無線基地局、２１…ＨＷＹインターフェース、２２…ベースバンド信号処理部、２２１…レイヤ１機能部、２２１ａ…Ｅ-ＤＰＣＣＨ逆拡散・ＲＡＫＥ合成部、２２１ｂ…Ｅ-ＤＰＣＣＨ復号部、２２１ｃ…Ｅ-ＤＰＤＣＨ逆拡散・ＲＡＫＥ合成部、２２１ｄ…バッファ、２２１ｅ…再逆拡散部、２２１ｆ…ＨＡＲＱバッファ、２２１ｇ…誤り訂正復号部、２２１ｈ…伝送チャネル符号化部、２２１ｉ…物理チャネルマッピング部、２２１ｊ…Ｅ-ＨＩＣＨ送信部、２２１ｋ…Ｅ-ＡＧＣＨ送信部、２２１ｌ…Ｅ-ＲＧＣＨ送信部、２２１ｍ…ＰＲＡＣＨ逆拡散・ＲＡＫＥ合成部、２２１ｎ…ＰＲＡＣＨ復号部、２２１ｏ…Ｓ-ＣＣＰＣＨ送信部、２２１ｐ…ＤＰＣＨ送信部、２２１ｑ…ＤＰＣＨ受信電力測定部、２２２…ＭＡＣ-ｅ機能部、２２２ａ…ＨＡＲＱ処理部、２２２ｂ…受信処理命令部、２２２ｃ…スケジューリング部、２２２ｄ…多重化解除部、２２２ｅ…多重化部、２３…送受信部、２４…アンプ部、２５…送受信アンテナ、２６…呼処理制御部、ＲＮＣ…無線回線制御局、３１…交換局インターフェース、３２…ＬＬＣレイヤ機能部、３３…ＭＡＣレイヤ機能部、３４…メディア信号処理部、３５…無線基地局インターフェース、３６…呼処理制御部
【図１】
0004761890.tif 000002
【図２】
0004761890.tif 000003
【図３】
0004761890.tif 000004
【図４】
0004761890.tif 000005
【図５】
0004761890.tif 000006
【図６】
0004761890.tif 000007
【図７】
0004761890.tif 000008
【図８】
0004761890.tif 000009
【図９】
0004761890.tif 000010
【図１０】
0004761890.tif 000011
【図１１】
0004761890.tif 000012
【図１２】
0004761890.tif 000013
【図１３】
0004761890.tif 000014
【図１４】
0004761890.tif 000015
【図１５】
0004761890.tif 000016
【図１６】
0004761890.tif 000017
【図１７】
0004761890.tif 000018
【図１８】
0004761890.tif 000019
【図１９】
0004761890.tif 000020
【図２０】
0004761890.tif 000021
【図２１】
0004761890.tif 000022